(57)【要約】      （修正有）【課題】ネジ軸を覆い隠して美観を向上できるほか、間仕切りなどの上部構造と一体化することも可能な底受け具を提供する。【解決手段】支柱４１などの部材を床面Ｆに据え付けるための底受け具は、底板１１とネジ軸１５と昇降体２１などで構成する。底板１１は床面Ｆに接触し、ネジ軸１５は底板１１から突出し、昇降体２１はネジ軸１５と螺合して上下方向に移動可能で、底板１１とネジ軸１５は溶接などで一体化する。また部材は昇降体２１の上面で支持する。そして底板１１の上面に陥没部１４を設け、ネジ軸１５は陥没部１４の中に配置し、昇降体２１の下部は、陥没部１４に収容可能とする。これにより、昇降体２１よりも下方のネジ軸１５を覆い隠すことができ、間仕切りなどの設置後、周囲からネジ軸１５を視認できず、美観が向上する。さらに部材と昇降体２１の間に天板３１を挟み込み、止めネジ３６などを用いることで、底受け具が上部構造と一体化する。【選択図】図１
2018071286.tif 000002
【特許請求の範囲】
【請求項１】
支柱（４１）や横材（４２）などの部材を床面（Ｆ）に据え付けるための底受け具であって、
前記床面（Ｆ）に接触する底板（１１）と、該底板（１１）から上方に突出するネジ軸（１５）と、該ネジ軸（１５）と螺合することで上下方向に移動可能な昇降体（２１）と、で構成され、
前記底板（１１）と前記ネジ軸（１５）は一体化してあり、また前記部材は前記昇降体（２１）の上面で支持され、
前記底板（１１）の上面には陥没部（１４）を設け、前記ネジ軸（１５）は該陥没部（１４）の中心付近に配置してあり、前記昇降体（２１）の下部は、該陥没部（１４）に収容可能であることを特徴とする底受け具。
【請求項２】
前記昇降体（２１）の側周面には目盛り（２３）を形成してあり、前記底板（１１）の上面を基準として、該昇降体（２１）の高さを読み取り可能であることを特徴とする請求項１記載の底受け具。
【請求項３】
前記部材と前記昇降体（２１）との間に天板（３１）を挟み込み、該天板（３１）はネジ釘（３８）などで該部材の下面に取り付け可能で、且つ該天板（３１）の下面には、前記昇降体（２１）の上部を嵌め込み可能な凹部（３２）を設けてあることを特徴とする請求項１または２記載の底受け具。
【請求項４】
前記天板（３１）の側面には、前記凹部（３２）の内周面に到達するメネジ状の側穴（３４）を設けると共に、前記昇降体（２１）の側周面には、該側穴（３４）と段差なく並ぶ環状溝（２４）を設け、該側穴（３４）に螺合した止めネジ（３６）の先端が該環状溝（２４）に到達することで、前記天板（３１）の引き抜けを防ぐことを特徴とする請求項３記載の底受け具。
【発明の詳細な説明】
【技術分野】
【０００１】
本発明は、室内を区画する間仕切りなどを床面に据え付けるために用い、高さを調整する機能を有する底受け具に関する。
【背景技術】
【０００２】
間仕切りは、室内空間を細かく区画するために用いられるが、その性質上、新築から歳月が経過した後に設置されることも多く、床面に微妙な起伏が生じていることも珍しくない。そのため間仕切りの施工に際しては、その支柱の脚部にアジャストボルトを取り付け、柱の高さを揃えるといった作業が必要になる。アジャストボルトは、床面に接触して荷重を伝達する底板と、底板から突出するネジ軸（全ネジボルト）を中心に構成され、ネジ軸にナットを螺合させ、このナットで支柱などの部材の下面を受け止める。そしてナットを上下方向に移動させることで、部材の高さ調整が実現する。
【０００３】
アジャストボルトは、間仕切りのほか、厨房設備や大型家電製品など、床面に据え置かれる様々な物品に用いられ、用途に応じた様々な形態が流通しており、その技術開発の例として後記の特許文献が挙げられる。そのうち特許文献１では、小売店などに設置されるショーケースの移動を防ぐことのできるアジャストボルトが開示されており、アジャストボルトの下部全体を樹脂やゴムで被覆することなどを特徴としている。被覆によって摩擦抵抗が増大し、ショーケースなどを安定して設置できるほか、床面に移動跡を残すこともない。
【０００４】
次の特許文献２では、簡素な構造で製造コストを削減可能なアジャストボルトが開示されている。一般的なアジャストボルトは、床面に接触する受座と、受座から突出するボルト軸を中心に構成されるが、受座とボルト軸を離脱不能にするため、抜け止め部材も必要になる。さらにボルト軸は、受座に対して回転自在とする必要があり、抜け止め部材とその周辺構造は、複雑化が避けられず、製造コストも増大しやすい。そこでこの文献では、カシメ加工を用い、抜け止め部材をボルト軸に固定しており、これらの構造が簡素化され、製造コストの増加を回避している。
【先行技術文献】
【特許文献】
【０００５】
【特許文献１】特開平７−２３９１７３号公報
【特許文献２】実用新案登録第３１９９６３６号公報
【発明の概要】
【発明が解決しようとする課題】
【０００６】
間仕切りの骨格は、アルミニウム製の棒材を用いることが多いものの、自然な雰囲気を演出したいなどの理由で木材を用いることもある。その場合でも、床面と間仕切りとの境界には、アジャストボルトなどの底受け具を用い、床面に生じた起伏を吸収する必要がある。しかし一般的なアジャストボルトは、全体が金属で構成され、木材の自然な雰囲気を損ねる恐れがある。特にそのネジ軸は、機械部品としての印象を強く与えるため、その全体を覆い隠し、美観を向上することが好ましい。
【０００７】
間仕切りは、建物の骨格とは切り離されており、過大な外力が作用することを想定する必要はない。しかし、地震などで間仕切りが浮き上がり、これを下支えする底受け具が離脱すると、間仕切りの支持が不安定になり、最悪の場合、倒壊の恐れもある。そこで間仕切りが浮き上がった際も、底受け具の離脱を防ぐ対策を講じることが好ましい。また施工時を考慮し、この離脱を防ぐ作業は、簡単に実施できることが好ましい。
【０００８】
本発明はこうした実情を基に開発されたもので、ネジ軸を覆い隠して美観を向上できるほか、間仕切りなどの上部構造と一体化することも可能な底受け具の提供を目的としている。
【課題を解決するための手段】
【０００９】
前記の課題を解決するための請求項１記載の発明は、支柱や横材などの部材を床面に据え付けるための底受け具であって、前記床面に接触する底板と、該底板から上方に突出するネジ軸と、該ネジ軸と螺合することで上下方向に移動可能な昇降体と、で構成され、前記底板と前記ネジ軸は一体化してあり、また前記部材は前記昇降体の上面で支持され、前記底板の上面には陥没部を設け、前記ネジ軸は該陥没部の中心付近に配置してあり、前記昇降体の下部は、該陥没部に収容可能であることを特徴とする。
【００１０】
本発明による底受け具は、これまでに普及しているアジャストボルトと同等の機能を果たすもので、主に間仕切りの据え付けに用いることを想定しているが、諸条件を満たすならば、他にも転用可能である。なお間仕切りは、支柱や横材で格子状の骨格を構成し、その中にガラスやパネルを嵌め込み、室内空間を区画するもので、この支柱や横材などの部材を底受け具で支持する。また本発明は、支持する部材が木材であることを念頭に開発したものだが、アルミニウム製の棒材など、他の素材を排除するものではない。
【００１１】
底受け具は、底板とネジ軸と昇降体の三要素を中心に構成され、そのうち底板は、床面と接触し、間仕切りなどの荷重を床面に伝達する役割を担い、接触面の圧力を下げるため、相応の底面積を有する平面状になるが、その外形は正方形や円形など自在である。また底受け具の素材としては、主に鋼材を用いる。なお底板は、単に床面と接触させるだけでも構わないが、必要があれば、釘類やアンカーを差し込み、移動を規制することもある。
【００１２】
ネジ軸は、丸棒の側周面全域にオネジを形成したもので、一般に全ネジボルトと称され、底板から真上に突出するように配置し、さらに底板とネジ軸は、溶接や圧入などにより、通常の使用状態では分離しないように一体化する。なおネジ軸の上端部は、底受け具で支持される部材の中に差し込むこともある。この差し込みにより、部材の水平方向の移動を規制できる。
【００１３】
昇降体は、従来のアジャストボルトのナットに相当する部品で、ネジ軸に螺合する円柱状で、螺合した状態で回転させると、上下方向に移動し、底板との距離が変化する。また昇降体は、支柱などの部材を載せる役割を担い、昇降体を上下方向に移動させることで、部材の高さを調整できる。なお昇降体は、底板の外縁から突出することのない寸法とするが、部材から作用する下向きの荷重を一手に受け止めるため、相応の大きさは必要である。
【００１４】
陥没部は、底板の上面に形成する凹状の部位だが、底板を真上から見た場合、陥没部は、底板の側面に到達することはなく、外部に開いた箇所がない環状であることを前提とする。またネジ軸は、陥没部のほぼ中央から突出するように配置し、さらにネジ軸に螺合した昇降体を下降させると、その下部が陥没部に入り込むよう、各部の形状を調整する。そして、昇降体が陥没部に入り込むことで、昇降体よりも下方のネジ軸が覆い隠される。なお、陥没部の内周面と昇降体の外周面との隙間は、必要最小限とすることが好ましい。
【００１５】
このように、底受け具を底板とネジ軸と昇降体などで構成し、底板の上面に陥没部を設け、そこからネジ軸を突出させることで、ネジ軸に螺合した昇降体を下降させると、その下部が陥没部に入り込む。そのため昇降体よりも下方のネジ軸が覆い隠され、間仕切りなどを設置した後、底受け具の周囲からネジ軸を視認することはできない。
【００１６】
請求項２記載の発明は、施工時の高さ調整を円滑に実施するためのもので、昇降体の側周面には目盛りを形成してあり、底板の上面を基準として、昇降体の高さを読み取り可能であることを特徴とする。本発明による底受け具を用い、各種部材を据え付ける際は、事前に床面の起伏を調査し、次に底受け具を床面に配置し、先の調査に基づいて個々の昇降体の高さを調整し、最後に部材を据え付ける。そのため作業性の観点から、昇降体の高さは、定規などを用いることなく、簡単に把握できることが好ましい。
【００１７】
請求項２記載の発明は、この点を考慮したもので、昇降体の側周面には、上下方向に連なる目盛りを形成する。そしてこの目盛りを読み取る際の指針となるのは、底板の上面である。前記のように昇降体の下部は、底板の陥没部に入り込むため、目盛りは、底板の上面とわずかの隙間で対向し、昇降体の高さを数値で把握できる。
【００１８】
施工時は、まず床面の起伏を調査し、その後、床面の定位置に底受け具を並べていき、先の調査結果に基づき、床面の起伏を打ち消すように個々の昇降体の高さを調整する。このような準備を行うことで、部材を据え付ける際は、部材の下部を昇降体に載せるだけになり、高さ調整が不要で、作業を短時間で終えることができる。なお部材を据え付けた後の高さ調整は、部材を倒れないように保持しながら、その自重に対抗する必要があり、作業性が悪い。
【００１９】
請求項３記載の発明は、部材を安定して据え付けるためのもので、部材と昇降体との間に天板を挟み込み、天板はネジ釘などで部材の下面に取り付け可能で、且つ天板の下面には、昇降体の上部を嵌め込み可能な凹部を設けてあることを特徴とする。底受け具で支持される部材は、昇降体の上面にそのまま載せても構わないが、下向きの荷重が大きい場合には、昇降体と部材との間に天板を挟み込む。天板は、部材の下面形状に応じて切り出した金属板で、その上面は、部材の下面と接触し、部材を支持する。さらに天板と部材を一体化するため、天板の下方から部材に向け、ネジ釘などの釘類を打ち込む。
【００２０】
天板の下面には、昇降体の上部を嵌め込み可能な凹部を設ける。凹部は、天板のガタ付きを防ぐため、昇降体が緩みなく嵌まり込むように仕上げる。このように天板を用いることで、部材が安定して据え置かれるほか、部材に作用する下向きの荷重は、天板の全面で受け止められ、応力が緩和され、部材の経年変形を抑制できる。
【００２１】
請求項４記載の発明は、天板を昇降体と一体化するためのもので、天板の側面には、凹部の内周面に到達するメネジ状の側穴を設けると共に、昇降体の側周面には、側穴と段差なく並ぶ環状溝を設け、側穴に螺合した止めネジの先端が環状溝に到達することで、天板の引き抜けを防ぐことを特徴とする。環状溝は、昇降体の側周面を環状に削り込んだもので、その位置は、凹部に入り込む範囲とする。また天板の側面には、凹部に到達する側穴を設ける。さらに側穴の内周面にはメネジを形成し、そこに止めネジを螺合させる。
【００２２】
側穴と環状溝は、上下方向に段差がないように配置する。その結果、側穴に止めネジを差し込んで締め付けていくと、やがてその先端が環状溝に到達し、天板は昇降体に対して離脱不能に一体化し、天板に載る部材も昇降体と一体化する。そのため部材が浮き上がった際も、底受け具は、部材から離脱することがなく、その後も安定して部材を支持できる。しかも間仕切りなどを撤去する際は、止めネジを緩めるだけで、昇降体から下を部材から切り離し可能で、作業性にも優れている。
【発明の効果】
【００２３】
請求項１記載の発明のように、底受け具を底板とネジ軸と昇降体などで構成し、底板の上面に陥没部を設け、そこからネジ軸を突出させることで、ネジ軸に螺合した昇降体を下降させると、その下部が陥没部に入り込む。そのため昇降体よりも下方のネジ軸が覆い隠され、間仕切りなどを設置した後、底受け具の周囲からは、ネジ軸を視認することができず、美観が向上する。特に間仕切りの骨格として木材を用いた場合、その効果を最大限に発揮し、自然な雰囲気を損ねることがない。
【００２４】
請求項２記載の発明のように、昇降体の側周面に目盛りを形成し、底板の上面を基準として、昇降体の高さを読み取り可能とすることで、昇降体の高さ調整が容易になる。そのため施工時、事前に床面の起伏を調査し、個々の昇降体の高さを調整した後、部材を据え付けるといった手順で作業を行うことができ、部材を底受け具に据え付ける際は、高さ調整が不要で、一連の作業を短時間で終えることができる。
【００２５】
請求項３記載の発明のように、部材の下面を載せる天板を用い、昇降体の上部を天板の凹部に嵌め込むことで、部材を安定して据え置くことができるほか、部材に作用する応力が緩和され、経年による変形を抑制できる。また請求項４記載の発明のように、止めネジを用い、天板を昇降体と一体化することで、地震などで部材が浮き上がった際も、底受け具が部材から離脱することはなく、以降も部材を安定して据え置くことができ、間仕切りなどの倒壊も防ぐ。さらに止めネジは、棒レンチで容易に回転させることができ、底受け具の離脱を防ぐ作業は、簡単に実施できる
【図面の簡単な説明】
【００２６】
【図１】本発明による底受け具の形状例とその使用例を示す斜視図である。なお図の右側には、底受け具を半割にした状態を描いてある。
【図２】図１の支柱を床面に据え付ける過程を示す斜視図である。なお図の右上には、組み立てた状態の底受け具を半割にした状態を描いてある。
【図３】天板を用いない構成の底受け具を示す斜視図である。なお図の右上には、組み立てた状態の底受け具を描いてある。
【図４】図１の底受け具で横材を据え付ける場合を示す斜視図である。
【図５】補強具を併用する底受け具と、その使用状態を示す斜視図である。なお図の右上には、補強具が埋め込まれた支柱を半割にした状態を描いてある。
【発明を実施するための形態】
【００２７】
図１は、本発明による底受け具の形状例とその使用例を示す。なお図の右側には、底受け具を半割にした状態を描いてある。この底受け具は、底板１１やネジ軸１５や昇降体２１や天板３１で構成され、支柱４１を床面Ｆに据え付けるために用いられる。支柱４１は木材を想定しており、その外観が周囲に自然な雰囲気を演出する。また底受け具の底板１１は、支柱４１の横断面と同じ寸法に切り出した鋼板で、その下面が床面Ｆに接触する。そして底板１１の上面中央には、円断面の陥没部１４を設けてある。陥没部１４は有底で、これが底板１１の下面に到達することはない。
【００２８】
陥没部１４の中心には、全ネジボルトを用いたネジ軸１５が上方に突出している。図のネジ軸１５は、陥没部１４の底部に差し込まれ、さらに溶接で双方を一体化してある。なお本発明では、底板１１とネジ軸１５は一体化する必要があり、その手段としては、溶接のほか、ナットによる締め付けや、圧入などが挙げられる。そのほか底板１１の四隅には、固定穴１３を設けてある。固定穴１３は、底板１１を床面Ｆに固定するためのもので、必要に応じてアンカーなどを打ち込む。
【００２９】
昇降体２１は円柱状の鋼材で、その中心にはネジ軸１５と螺合する中ネジ２５を設けてある。中ネジ２５は、昇降体２１の上下面を貫通し、全域にメネジを形成してある。そして、中ネジ２５にネジ軸１５を螺合させ、昇降体２１を回転させると、昇降体２１はネジ軸１５に沿って上下方向に移動する。なお昇降体２１の側周面には、工具などで回転させることを考慮し、平面状に削り込んだ側平面２２を設けてある。また隣接する側平面２２同士の境界には、上下方向に連なる目盛り２３を形成してある。さらに昇降体２１の側周面の上方には、環状溝２４を設けてある。
【００３０】
天板３１は、底板１１と同じ外形の鋼板で、支柱４１の下面に接触すると共に、昇降体２１の上に載せられ、昇降体２１と支柱４１との間に挟み込まれる。また天板３１は、支柱４１に固定する必要があり、この図では天板３１の下方から支柱４１に向け、ネジ釘３８を差し込む。そのため天板３１の四隅には、釘穴３３を設けてある。そのほか天板３１の下面中心には、昇降体２１の上部を嵌め込むため、凹部３２を設けてある。凹部３２は、天板３１の上面に到達することのない有底で、しかも昇降体２１を緩みなく嵌め込み可能な内径に仕上げてある。その結果、天板３１は昇降体２１の上部で安定して保持される。
【００３１】
天板３１の上面中心には、凹部３２とつながる通過穴３５を設けてある。通過穴３５は、昇降体２１を貫通したネジ軸１５を上方に突出させるためのもので、ネジ軸１５に対して余裕のある内径としてある。また天板３１の側面には、凹部３２の内周面に到達する側穴３４を設けてある。側穴３４の内周面にはメネジを形成してあり、そこに止めネジ３６を螺合させる。さらに側穴３４と環状溝２４は、昇降体２１が凹部３２に嵌まり込んだ際、上下方向に段差がないように配置してある。そのため止めネジ３６を締め付けていくと、やがてその先端が環状溝２４に入り込み、天板３１が昇降体２１に対して離脱不能になる。なお図の止めネジ３６は、頭部のない「イモネジ」と称されるものを用いている。
【００３２】
施工時は、まずネジ釘３８を用い、天板３１を支柱４１の下面に固定すると共に、底板１１から突出するネジ軸１５に昇降体２１を螺合させ、この底板１１を床面Ｆに配置する。次に、目盛り２３を用いて昇降体２１の高さを調整し、最後に支柱４１に固定された天板３１を昇降体２１の上部に載せ、止めネジ３６を締め付ける。なおネジ軸１５は、通過穴３５から突出する場合があり、これに備えて支柱４１の下面中心には、ネジ軸１５を収容する逃げ穴４５を加工してある。
【００３３】
図２は、図１の支柱４１を床面Ｆに据え付ける過程を示している。なお図の右上には、組み立てた状態の底受け具を半割にした状態を描いてある。まず支柱４１の下面に天板３１を接触させ、次に天板３１の下方からネジ釘３８を差し込み、天板３１を支柱４１に固定する。この天板３１を固定する作業は、支柱４１の製材段階で行い、天板３１が固定された状態で支柱４１を現地に輸送することもある。そのほか支柱４１の下面中心には、あらかじめ逃げ穴４５を加工してある。
【００３４】
底板１１については、製造段階でネジ軸１５を一体化してあり、その後、ネジ軸１５に昇降体２１を螺合させ、双方が離脱しないように取り扱う。そしてこれらを現地に輸送し、底板１１を所定の位置に並べ、次に床面Ｆの起伏を打ち消すため、昇降体２１を回転させ、高さを調整する。その際、目盛り２３を用いることで、昇降体２１の高さを個別に調整する作業を容易に実施できる。なお目盛り２３を読み取る際、底板１１の上面がその指針となるが、双方はわずかな隙間で対向しており、十分な精度を確保できる。
【００３５】
昇降体２１の高さを調整した後、天板３１が固定された支柱４１を持ち上げ、底板１１の真上に移動させ、徐々に下降させていくと、やがて昇降体２１の上部が天板３１の凹部３２に嵌まり込み、天板３１が昇降体２１で支持される。この段階で側穴３４に止めネジ３６を差し込んで締め付けると、止めネジ３６の先端が環状溝２４に到達し、天板３１は昇降体２１に対し、離脱不能になる。なお止めネジ３６は、側穴３４から突出しないような全長で、美観を悪化させることはない。また支柱４１の据え付け後、ネジ軸１５の上部は支柱４１の逃げ穴４５に入り込む。
【００３６】
図の右下に描くように、支柱４１を据え付けた状態では、昇降体２１の下部が陥没部１４に入り込み、ネジ軸１５が覆い隠され、美観が向上する。ただし床面Ｆの起伏が大きい場合には、高さ調整のため、昇降体２１が底板１１よりも上方に位置し、やむをえずネジ軸１５が露出する可能性もある。そのため美観は悪化するが、本発明において昇降体２１は、ネジ軸１５だけで支持される構造で、強度上の問題は生じない。
【００３７】
図３は、天板３１を用いない構成の底受け具を示している。なお図の右上には、組み立てた状態の底受け具を描いてある。この図においても、底板１１の中心からネジ軸１５が突出し、ネジ軸１５に昇降体２１を螺合させる点は、これまでと同じである。ただし支柱４１の下面は、ワッシャ３９を挟んで昇降体２１の上面に載り、図１に描いた底受け具よりも構成が簡素化され、コストダウンが実現する。ワッシャ３９を用いることで、支柱４１の下部に作用する応力が緩和され、経年変形を抑制できる。したがって荷重条件が緩いならばワッシャ３９は不要で、支柱４１をそのまま昇降体２１に載せることもある。
【００３８】
図３では、支柱４１が水平方向に移動することを防ぐため、ネジ軸１５の上部を支柱４１に差し込んでいる。そのため、支柱４１の下面中央に加工する逃げ穴４５は、ネジ軸１５を緩みなく差し込み可能な内径としてある。そのほか昇降体２１の下方でネジ軸１５が露出しないよう、この図では底板１１の厚さを増している。その結果、昇降体２１の移動範囲が拡大し、床面Ｆの起伏に追従しやすくなる。なお底板１１の厚さを増すことに伴い、固定穴１３を二段構造としてあり、アンカー類の頭部を埋め込むことができる。
【００３９】
図４は、図１の底受け具で横材４２を据え付ける場合を示す。底受け具で据え付けられる部材は、これまでの各図のような支柱４１に限定されるものではなく、この図のように横材４２の下面を支持することもできる。なお横材４２の下面は、木材の性質上、経年変形を生じやすく、天板３１を用いて応力を緩和することが好ましい。このように、本発明は支柱４１や横材４２など、あらゆる部材を支持することができ、また部材は木材に限定されるものではない。
【００４０】
図５は、補強具５１を併用する底受け具と、その使用状態を示す。この図の底受け具についても、これまでの各図と同様、底板１１からネジ軸１５が突出しており、またネジ軸１５に螺合する昇降体２１には、環状溝２４と側平面２２と目盛り２３を設けてあり、昇降体２１を上下方向に移動させることで、支柱４１の高さを調整することができる。さらに図５では、支柱４１の内部に補強具５１を埋め込み、下向きの荷重に対する強度を向上させているほか、支柱４１の下面中心には、昇降体２１の上部を嵌め込むため、保持穴４７を加工してある。この嵌め込みにより、支柱４１が水平方向に移動することを規制する。
【００４１】
図５の補強具５１は、一般にラグスクリューと称されるもので、その側周面には螺旋状の凸条５３を形成してあるほか、一端面には六角形の頭部５２を形成してある。また補強具５１を埋め込むため、保持穴４７の奥面には下穴４８を加工してあり、凸条５３が下穴４８の内周面に食い込むことで、補強具５１が支柱４１と強固に一体化される。なお補強具５１を埋め込む際、その頭部５２の下面は、保持穴４７と下穴４８との境界に揃える。その結果、昇降体２１と補強具５１が接触し、下向きの荷重の伝達が実現する。
【００４２】
支柱４１の側面には、保持穴４７に到達する側穴４４を加工してある。この側穴４４は、単純な円断面であり、保持穴４７に昇降体２１が嵌め込まれた際、その環状溝２４と段差なく並ぶよう、位置を調整してある。そのため、側穴４４に止めピン４６を打ち込むと、その先端が環状溝２４に入り込み、支柱４１の抜け止めとして機能する。なお止めピン４６は、側穴４４の内周面との摩擦で固定される。また美観を考慮し、止めピン４６は、その全体が側穴４４に埋め込まれるよう、全長を調整してある。
【００４３】
このように補強具５１を用いることで、支柱４１に作用する下向きの荷重は、凸条５３全体を介して昇降体２１に伝達される。そのため、支柱４１に作用する応力が緩和され、経年変形を抑制できる。なお補強具５１については、ラグスクリューのほか、異形棒鋼なども使用可能である。異形棒鋼については、接着で下穴４８に固定する。そのほか図５では、昇降体２１の上面に補強具５１が接触するため、ネジ軸１５を昇降体２１の上面から突出させることはできない。
【符号の説明】
【００４４】
１１  底板
１３  固定穴
１４  陥没部
１５  ネジ軸
２１  昇降体
２２  側平面
２３  目盛り
２４  環状溝
２５  中ネジ
３１  天板
３２  凹部
３３  釘穴
３４  側穴（天板に形成）
３５  通過穴
３６  止めネジ
３８  ネジ釘
３９  ワッシャ
４１  支柱（部材）
４２  横材（部材）
４４  側穴（支柱に形成）
４５  逃げ穴
４６  止めピン
４７  保持穴
４８  下穴
５１  補強具（ラグスクリュー）
５２  頭部
５３  凸条
Ｆ    床面
【図１】
2018071286.tif 000003
【図２】
2018071286.tif 000004
【図３】
2018071286.tif 000005
【図４】
2018071286.tif 000006
【図５】
2018071286.tif 000007